【事件の表示】
　平成　７年特許願第１９０３８０号「撮像装置」拒絶査定不服審判事件〔平成　９年　２月１４日出願公開、特開平　９−　４６５７０〕について、次のとおり審決する。
【結　論】
　本件審判の請求は、成り立たない。
【理　由】
第１　経緯
　本願は，平成７年７月２６日の出願であって，平成１６年１０月２０日付けで拒絶査定がなされ，これに対し，平成１６年１１月２５日に拒絶査定に対する審判請求がなされるとともに，平成１６年１２月２７日付けで手続補正（明細書及び図面について請求の日から３０日以内にする補正）がなされたものである。　
　
第２　本願発明
１　補正の適否
　平成１６年１２月２７日付けの手続補正は，願書に最初に添付した明細書又は図面に記載した事項の範囲内においてする補正であって（第１７条の２第３項），その内容から見て，誤記の訂正（第１７条の２第４項第３号）を目的とするものに該当するとみることができる。
　
２　本願発明
　本願の請求項１から３までに係る各発明は，本願明細書及び図面（平成１６年４月２３日付け及び平成１６年１２月２７日付けの手続補正書により補正された明細書及び図面）の記載からみて，それぞれ，その特許請求の範囲の請求項１から３までに記載したとおりの「撮像装置」であると認められるところ，そのうち，請求項１に係る発明（以下，「本願発明」という。）は次のとおりである。
「【請求項１】撮影画面内の任意の取り込み範囲内に相当する映像信号中１ラインごとの高周波成分のピーク値を加算した値を第１の信号として取り出す抽出手段と，
　レンズを移動させて焦点調節を行う焦点調節手段と，
　前記取り込み範囲を変更する取り込み範囲変更手段と，
　前記取り込み範囲変更手段により取り込み範囲を小さくするとともに前記撮影画面内の画像を電気的に拡大する画像拡大手段とを有し，
　前記第１の信号のレベルが大きくなる方向に前記レンズを移動させ所定値以上小さくなると逆転移動させる動作を繰り返し，前記取り込み範囲の大きさに応じて当該所定値を変更することを特徴とする撮像装置。」
　
第３　当審の判断
１　刊行物の記載
　原査定において引用された特開平５−２２７４６４号公報（平成５年９月３日，以下「引用例１」という。）には，図面とともに，次のとおりの記載がある。
（１）「【実施例】以下，本発明の自動焦点合わせ素装置の実施例を図１〜図９を参照して説明する。図１は，第一の実施例の全体構成図を示し，垂直方向の伸張を撮像素子の読みだしを制御して行ない，その後，水平方向の伸張をラインメモリを用いた信号処理で行なう方法の電子ズーム機能を有し，撮像素子出力と上記水平方向ズーム処理回路の中間点から所定範囲の焦点合わせ用の映像信号を取り出し，電子ズーム処理された後の映像信号を電子ビューファインダに入力するように構成した場合の本発明の全体構成図である。図１において，１は光学的ズーム倍率可変可能な撮像ズームレンズで，このレンズ１を通してＣＣＤ型固体撮像素子２の結像面に被写体光学像を結像する。撮像素子２は，撮像素子駆動回路８により駆動され，光電変換された映像信号が読みだされる。撮像素子２に出力された映像信号は，カメラ信号生成回路４に入力され，所望のテレビジョン信号に変換されて端子５に出力される。」（段落【００１０】）
（２）「一方，９は自動焦点合わせ用回路であり，焦点信号生成回路１１，パルス信号発生回路１０，マイコン１２にて構成される。撮像素子２に出力された，電子ズームの作動に応じて垂直方向に伸張，且つ間引かれて出力される映像信号は，焦点信号生成回路１１に入力され，焦点の合い具合に対応した量の焦点合わせ用の信号が生成される。マイコン１２は，この焦点信号を受け焦点合わせ用レンズの移動方向，合焦状態を判定する。そしてズームレンズ１の焦点合わせ用レンズに連動するモータ，及びその駆動回路からなるレンズ駆動装置２０に，上記の判定結果に基ずく駆動信号を供給し，焦点合わせ用レンズを移動，停止せしめるように制御して自動焦点合わせ動作する。焦点信号生成回路１１は，映像信号から高域周波数成分を抽出するための高域フィルタ，抽出された高域周波数成分のうち，上記所定の範囲の信号のみを取り出すためのゲート回路，そして，ゲート回路にによって取り出した高域周波数成分を１フィールド期間（１枚の絵柄）毎，積分して焦点信号を作り出す積分回路によって構成される。」（段落【００１０】）
（３）「パルス信号発生回路１０は，上記所定の範囲の高域周波数成分を取り出すためのゲ−ト回路に印加するゲ−トパルス（水平ゲートパルス＋垂直ゲートパルス）信号，及び上記取り出す範囲の映像内容に一致した視野範囲をビューファインタに表示するための，例えば引例１に記載されるような各枠表示信号を発生する。１５は，電子ビューファインダで，端子５に出力された映像信号と，上記画枠表示信号が加算回路１４にて加算され入力される。これによってモニタ画面には模式図１６に示されるように，自動焦点合わせされる範囲が各枠表示された映像が写しだされる。」（段落【００１０】）
（４）「図７は，第３の実施例を示す全体構成図である。本図の構成において，第１の実施例の構成（図１）と異なる点は，電子ズーム処理において，垂直方向，水平方向いずれもの伸張処理，信号補間など，電子ズームの全信号処理を，電子ズーム回路６’で行なう方法である点であり，したがって，撮像素子２の出力端子３には，図２のような電子ズ−ムの作動に応じて間引かれることの無い，通常の映像信号が読みだされる。一方撮像素子２と，電子ズーム処理回路６’の中間点から，焦点合わせ用の映像信号を取り出す点，及び電子ズーム回路６’の出力以降から電子ビューファインダのモニタ用映像信号を取り出す点は，第１の実施例図（図１）と同じである。又，図７において，図１と同一記号，同一符号を示すものは，ほぼ同一機能，同一動作，作用を示すので説明は省略する。以下，本実施例の構成における，パルス信号発生回路１０を電子ズームの作動に応動して制御する第１の方法例と，その特徴を図８を用いて説明する。図８（Ａ）は，焦点信号取り出し点の映像内容と，その取り出し範囲の様子を示し，本実施例の構成においては，この映像内容は，電子ズームの作動に関わらず一定であることは言うまでもない。ところが，ビューファインダに入力される映像内容は，電子ズームの作動に応動して図８（Ｂ）に示されるように拡大されてモニタされる。　ここで，ズーム作動前において，水平，垂直方向の焦点信号取り出し範囲Ｈｇ，Ｖｇと，ビューファインダへのその画枠表示される範囲Ｈｐ，Ｖｐが一致するように設定し，その範囲設定を固定のままとすれば，図８（Ｂ）に示されるようにＨＰ，ＶＰで囲まれる画枠表示範囲内の映像も拡大されることになり，図８に示されるＨｇ，Ｖｇで囲まれる取り出し範囲の映像内容と異ってしまう。　従って，電子ズームを作動することによって，焦点合わせしている範囲を正しく表示しなくなってしまう不都合を生じる。本実施例では，電子ズームの作動に応じてパルス信号発生回路６’を，図８（Ａ）に示すように制御することによって，すなわち焦点信号取り出し用の水平，垂直ゲートパルスの期間Ｈｇ，Ｖｇをそれぞれ，Ｈｇｎ，Ｖｇｎのように縮小するように制御して，焦点信号取り出し範囲内と，画枠表示範囲内の映像内容の一致化を図り上記問題を解決している。」（段落【００１１】）
（５）「上記第一の方法は，焦点信号取り出し範囲内と，画枠表示範囲内の映像内容の一致化は図れるものの，電子ズーム動作に応動して焦点信号取り出し範囲を縮小するために，焦点信号量も減少し，自動焦点合わせに誤動作を生じる原因となることがある。」（段落【００１１】）
　
　同じく原査定において引用された特開平６−３３９０５８号公報（平成６年１２月６日，以下「引用例２」という。）には，図面とともに，次のとおりの記載がある。
（６）「【従来の技術】ビデオカメラなどの２次元撮像素子を有する装置では，被写体像の映像信号より画面の鮮鋭度を検出し，それが最大となるようにフォーカシイングレンズ位置を制御して，ピントを合わせる方式が知られている。
　前記鮮鋭度の評価としては一般に，バンドパスフィルタ（以下ＢＰＦと略す）により抽出された映像信号の高周波成分の強度，あるいは微分回路などにより抽出された映像信号のボケ幅検出強度などの鮮鋭度信号を用いる。これは，通常の被写体を撮影した場合，ピントがぼけている状態では小さく，ピントが合うにつれて大きくなり，完全にピントが合った状態で，最大値に達する。
　従って，フオーカスレンズの制御は，前記鮮鋭度が小さいときは，大きくなる方向になるべく速く動かし，大きくなるにつれて，ゆっくりと動かして，精度良く山の頂上でフォーカシングレンズを停止するように制御する。このようなオートフオーカス（以下ＡＦと称す）方式を山登り法オートフオーカス（以下山登りＡＦと略す）と呼んでいる。
　また，フォーカスレンズの駆動にステツピングモータを用いた場合には，フオーカスレンズ位置が正確に検出できるので，図４に（ａ）で示すように，鮮鋭度信号が最大値の時のフオーカスレンズ位置を記憶し，その最大値より鮮鋭度信号がある所定値ＴＨ１下まわつたところで，記憶した最大値を検出際のフオーカスレンズ位置に戻すことで，フオーカスレンズを鮮鋭度信号の山のピークに止めるようにしている。」（段落【０００２】ないし【０００５】）
（７）「【発明が解決しようとする課題】しかしながら，映像信号を利用した自動合焦装置においては，被写体の依存性が強く，図４の（ｂ）で示すように，低コントラストな被写体では，鮮鋭度信号の山自体がなだらかで起伏のないものとなり，鮮鋭度信号がある所定値ＴＨ１以下に下がらない事がある。このような場合には，最大値を得たフオーカスレンズ位置へとフオーカスレンズを戻す処理が行われないまま合焦点を見つける事が出来ずにハンチングしてしまうという問題点があった。」（段落【０００６】）
（８）「フオーカスレンズが方向反転を２回行っているという事は，被写体が低コントラストや高輝度の特殊被写体であって，鮮鋭度信号の山の形が図４の（ｂ）のように緩やかで起伏のないものとなっており，鮮鋭度信号Ｆａが所定値ＴＨ１分下がらない状態であると考え，所定値ＴＨをＴＨ２（＜ＴＨ１）に切り換える。」（段落【００２４】）
（９）「そして同図（ｃ）が被写界深度レベルにおけるＴＨ２の値であり，これはＴＨ１に対する割合で示している。従って，被写界深度レベル１では，ＴＨ２＝ＴＨ１×0.7 となる。被写界深度が深くなると鮮鋭度信号の山は緩やかになるので，ＴＨ２をより小さく設定する事によって，絞ったところのハンチングを防止できる。
【発明の効果】
　以上説明したように，山登りＡＦを行う中で，鮮鋭度信号のピーク値から，あるしきい値分だけ鮮鋭度信号が下がったところでフオーカスレンズを反転させ，記憶しておいた鮮鋭度信号のピーク値を得たときのアドレス値にフオーカスレンズを駆動する動作を行う中で，フオーカスレンズの駆動方向反転の状態によって前記のしきい値を小さくする事で，鮮鋭度信号の山の形が緩やかな，特殊被写体に対してもハンチングを生じることなく確実，円滑且つ迅速にフオーカスレンズを合焦点へと移動することができる。」（段落【００３３】ないし段落【００３４】）
　
２　対比
　本願発明と引用例１に記載された発明（以下「引用発明」という。）とを対比する。
ア　引用例１の上記記載（１），（２），（４）及び図７によれば，撮像ズームレンズ１を通して得た被写体光学像は，撮像素子２で映像信号に光電変換され，カメラ信号生成回路４で所望のテレビジョン信号に変換されて端子５に出力される。電子ズーム回路６’は，垂直及び水平方向の伸張処理，信号補間等の信号処理を行う回路である。撮像素子２の出力端子３には，電子ズーム回路６’の処理を行う前の通常の映像信号が取り出され，自動焦点合わせ用回路９の焦点信号生成回路１１に与えられる。焦点信号生成回路１１は，映像信号から高域周波数成分を抽出するための高域フィルタ，抽出された高域周波数成分のうち，所定範囲の信号のみを取り出すためのゲート回路，ゲート回路によって取り出した高域周波数成分を１フィールド期間（１枚の絵柄）毎，積分して焦点信号を作り出す積分回路からなり，焦点の合い具合に対応した量の焦点合わせ用の焦点信号を生成する。マイコン１２は，上記焦点信号を受けて焦点合わせ用レンズの移動方向，合焦状態を判定して，焦点合わせ用レンズを移動，停止せしめるよう制御して自動焦点合わせ動作を行う。
　引用発明は，「撮像装置」に関するものということができ，「レンズを移動させて焦点調節を行う焦点調節手段」の存在が認められる。
　
イ　また，高域周波数成分を１フィールド期間積分して作成した焦点信号は，高周波成分から作成した焦点状態に応じて変化する値ということができるから，引用発明の「焦点信号生成回路」は，撮影画面内の任意の取り込み範囲内に相当する映像信号中の高周波成分から作成した焦点状態に応じて変化数する値を焦点調節のための信号として取り出す抽出手段といえる。
　ここで，本願発明にいう「第１の信号」は，「レンズを移動させて焦点調節を行う焦点調節手段」が参照する焦点調節のための信号であって，本願明細書段落４ないし５，段落８，２６，段落３０を参照すれば，焦点が合うにしたがってレベルが大きくなり，フォーカスレンズが合焦位置にあるとき最大となる山形の特性（図２）を有する焦点評価値に対応する信号であると認めることができ，本願発明では，「撮影画面内の任意の取り込み範囲内に相当する映像信号中の１ラインごとの高周波成分のピーク値を加算した値」を上記「第１の信号として取り出」している。
　そうすると，上記「撮影画面内の任意の取り込み範囲内に相当する映像信号中の１ラインごとの高周波成分のピーク値を加算した値」も，撮影画面内の任意の取り込み範囲内に相当する映像信号中の高周波成分から作成した焦点状態に応じて変化する値であることに違いはなく，本願発明では，この値を「第１の信号として取り出」しているのであるから，本願発明と引用発明とは，「撮影画面内の任意の取り込み範囲内に相当する映像信号中の高周波成分から作成した焦点状態に応じて変化する値を第１の信号として取り出す抽出手段」を有する点で一致する。
　もっとも，本願発明では，「第１の信号」として，「１ラインごとの（高周波成分の）ピーク値を加算した値」を用いているのに対し，引用例１には，そのような記載はない。
　
ウ　引用例１の上記記載（３），（４），図７ないし図９によれば，パルス信号発生回路１０は，上記所定の範囲の高域周波数成分を取り出すためのゲ−ト回路に印加するゲ−トパルス（水平ゲートパルス＋垂直ゲートパルス）信号，及び上記取り出す範囲の映像内容に一致した視野範囲をビューファインダに表示するための各枠表示信号を発生する。そして，電子ズームによる拡大表示の際には，ビューファインダ内の拡大画像中に表示される画枠表示範囲内の映像内容が焦点信号取り出し範囲内の映像内容と一致するように，パルス信号発生回路１０が発生する焦点信号取り出し用の水平，垂直ゲートパルスの期間Ｈｇ，ＶｇをそれぞれＨｇｎ，Ｖｇｎに縮小して，焦点信号取り出し範囲を小さくしている（図９（Ａ））。
　したがって，「前記取り込み範囲を変更する取り込み範囲変更手段」，「前記取り込み範囲変更手段により取り込み範囲を小さくするとともに前記撮影画面内の画像を電気的に拡大する画像拡大手段」の存在が認められる。
　
エ　引用例１の上記記載（２）によれば，引用発明の上記「レンズを移動させて焦点調節を行う焦点調節手段」は，上記「第１の信号」のレベルが大きくなる方向に前記レンズを移動させて焦点調節を行うことが認められる。また，上記「第１の信号」は，撮影画面内の任意の取り込み範囲内に相当する映像信号中の高周波成分を１フィールド期間積分して作成した値であるから，取り込み範囲の大きさに応じて第１の信号のレベルが変化することは自明の事項であるし，引用例１の上記記載（５）によれば，引用発明においても「電子ズーム動作に応動して焦点信号取り出し範囲を縮小するために，焦点信号量（「第１の信号」に相当）も減少し，自動焦点合わせに誤動作を生じる原因となることがある」との認識があったといえる。
　ここで，本願明細書の記載（「すなわち図４のように電子ズーム中に焦点評価値取り込み範囲を小さくすると，評価値は前記のようにテレビジヨン信号の横方向１ラインの焦点評価値のピーク値を，縦方向に範囲内に含まれるライン分加えた値であるため，Ｈ＝ｈ１＋ｈ２＋ｈ３と通常に比べて小さくなってしまう。」（段落１２），「そこで，電子ズーム中に通常の大きな評価値に対して設定した反転ｔｈでは大きすぎるため反転まで遅くなり，フワついて見えてしまう。」（段落１３），「焦点評価値取り込み範囲を可変することによる焦点評価値のレベル変化に起因する焦点調節手段の性能劣化あるいは誤動作を，反転ｔｈを変更して焦点調節手段の動作を制限することによって補償することができる。」（段落５７））によれば，本願発明は，「前記取り込み範囲の大きさに応じて」第１の信号のレベルが変化するため，該レベル変化に起因する焦点調節手段の性能劣化あるいは誤動作を補償すべく「当該所定値を変更する」ものといえる。
　そうすると，本願発明では，第１の信号のレベルが（大きくなる方向にレンズを移動させ）「所定値以上小さくなると逆転移動させる動作を繰り返し」て焦点調節を行うものであり，取り込み範囲の大きさに応じて「当該所定値を変更する」のに対し，引用例１には，そのような記載はないものの，本願発明と引用発明とは，いずれも「前記第１の信号のレベルが大きくなる方向に前記レンズを移動させて焦点調節を行い，前記取り込み範囲の大きさに応じて第１の信号のレベルが変化するものである」点で一致すると認められる。
　
　上記アないしエのとおりであるから，両者は，
「撮影画面内の任意の取り込み範囲内に相当する映像信号中の高周波成分から作成した焦点状態に応じて変化する値を第１の信号として取り出す抽出手段と，
　レンズを移動させて焦点調節を行う焦点調節手段と，
　前記取り込み範囲を変更する取り込み範囲変更手段と，
　前記取り込み範囲変更手段により取り込み範囲を小さくするとともに前記撮影画面内の画像を電気的に拡大する画像拡大手段とを有し，
　前記第１の信号のレベルが大きくなる方向に前記レンズを移動させて焦点調節を行い，前記取り込み範囲の大きさに応じて第１の信号のレベルが変化するものであることを特徴とする撮像装置。」
である点で一致し，以下の点で相違している。
　
［相違点１］本願発明では，「第１の信号」として，「１ラインごとの（高周波成分の）ピーク値を加算した値」を用いているのに対し，引用例１には，そのような記載はない点。
［相違点２］本願発明では，第１の信号のレベルが「所定値以上小さくなると逆転移動させる動作を繰り返し」て焦点調節を行うものであり，取り込み範囲の大きさに応じて「当該所定値を変更する」のに対し，引用例１には，そのような記載はない点。
　
３　判断
　上記各相違点について検討する。
（１）相違点１について
　映像信号中の高周波成分から作成した焦点状態に応じて変化する値（「第１の信号」に相当）として，「１ラインごとの（高周波成分の）ピーク値を加算した値」を用いることは，例えば，特開平５−３７８４３号（原査定の理由で引用した引用文献１。平成５年２月１２日出願公開。特に，段落１２参照）または特開平６−２６８８９６号公報（平成6年９月２２日出願公開。特に，段落２０，段落２４ないし２８，段落５０，段落５２及び図１参照）に記載されているように周知技術であるから，引用発明において，第１の信号として，「１ラインごとの（高周波成分の）ピーク値を加算した値」を用いることは，当業者が適宜なし得ることといえる。また，これによる効果も予測される範囲を超えるものではない。
　
（２）相違点２について
　引用例２には，被写体像の映像信号の高周波成分から抽出した信号（鮮鋭度信号）が最大値の時のフオーカスレンズ位置を記憶し，その最大値より鮮鋭度信号がある所定値ＴＨ１下回ったところで，記憶した最大値を検出した時のフオーカスレンズ位置に戻すことで，フオーカスレンズを鮮鋭度信号の山のピークに止めるようにして焦点調節を行う方式において，上記鮮鋭度信号の山（図４（ａ））が，図４（ｂ）のようになだらかで起伏のないものとなった場合には，所定値ＴＨをＴＨ１より小さいＴＨ２に切り換えることにより，ハンチングを生じることなく確実，円滑且つ迅速にフオーカスレンズを合焦点へと移動することが記載されている（上記記載（６）ないし（９））。
　上記引用例２には，鮮鋭度信号（「第１の信号」に対応。）の山がなだらかで起伏のないものとなる原因として，特に，被写体が低コントラストや高輝度の特殊被写体の場合が記載されているが，その他の原因であっても，鮮鋭度信号の山がなだらかで起伏のないものとなった場合には，所定値ＴＨを下げることで，確実，円滑且つ迅速な焦点調節を行い得ることは，図４を見れば明らかであって，引用例２に接した当業者が予期し得る範囲のことである。
　そうすると，映像信号の高周波成分から抽出した焦点調節のための信号のレベルが「所定値以上小さくなると（レンズを）逆転移動させる動作を繰り返し」て焦点調節を行う方式自体は，上記引用例２または特開平６−２２５１９８号公報（平成６年８月１２日出願公開。特に，段落７，段落１２ないし段落１４参照）にも記載されているように周知技術にすぎないし，引用発明が「取り込み範囲の大きさに応じて第１の信号のレベルが変化するものであること」も認識されているのであるから，引用発明に引用例２に記載された発明を適用して，第１の信号のレベルが「所定値以上小さくなると逆転移動させる動作を繰り返し」て焦点調節を行うとともに，取り込み範囲の大きさに応じて「当該所定値を変更する」ことに格別の困難があるとはいえない。また，これによる効果も予測される範囲を超えるものではない。
　
　以上判断したとおり，本願発明における上記相違点１ないし２に係る構成はいずれも当業者が容易に想到し得たものであり，また，各相違点を総合しても本願発明は当業者が想到することが困難なものとはいえない。
　そして，本願発明の作用効果も，各引用例及び周知技術から当業者が予測できる範囲のものである。
　
　したがって，本願発明は，上記各引用例に記載された発明及び周知技術に基づいて当業者が容易に発明をすることができたものである。
　
第４　むすび
　以上のとおり，請求項１に係る発明は，引用例１及び２に記載された発明及び周知技術に基づいて当業者が容易に発明をすることができたものであるから，特許法第２９条第２項の規定により特許を受けることができない。
　したがって，残る請求項（請求項２ないし請求項３）について特に検討するまでもなく，本願は拒絶すべきものである。
　よって，結論のとおり審決する。